(57)【要約】【課題】留め具を打ち込む際に刷毛が滑ることなく植毛でき、植毛不良がなく、しかも毛立ちのよい歯ブラシを提供する。【解決手段】底面に窪み２および／または側面に植毛面に対して平行でない溝を形成した平線１（留め具）を用いて、刷毛１２を束ねた刷毛束１３を２つ折りにして植毛面１４の植毛穴１５に打ち込むことにより、植毛固定するようにした。【選択図】　　　図１
2004081286.tif 000002
【特許請求の範囲】
【請求項１】
底面に窪みおよび／または側面に歯ブラシヘッド部の植毛面に対して平行でない溝を形成した留め具を用いて刷毛もしくは刷毛束を２つ折りに植毛固定した部分が少なくとも１箇所以上存在することを特徴とする歯ブラシ。
【請求項２】
前記留め具底面の窪みの深さが留め具高さの１／２以下であることを特徴とする請求項１記載の歯ブラシ。
【請求項３】
前記植毛面に対する留め具側面の溝の交差角度が３０度より大きく、１５０度より小さいことを特徴とする請求項１または２記載の歯ブラシ。
【発明の詳細な説明】
【０００１】
【発明の属する技術分野】
本発明は、植毛不良が少なく、毛立ちが良好な歯ブラシに関するものである。
【０００２】
【従来の技術】
通常の歯ブラシは、例えば図１０（ａ）に示すような平線１１と呼ばれる扁平な長方体からなる金属片の留め具を用いて、図１０（ｂ）に示すように、刷毛１２を束ねた刷毛束１３を歯ブラシヘッド部の植毛面の植毛穴に２つ折りにして打ち込むことにより、１穴当たり折り返しで３０〜６０本程度の刷毛を植毛している。
【０００３】
このような従来の歯ブラシの場合、平線１１の底面部が平滑面であるため、図１１に示すように、刷毛束１３を打ち込む際に刷毛束１３を構成する刷毛１２の横滑りが生じ、植毛不良の原因となっていた。また、平線１１の表面と刷毛１２との摩擦が小さいため、平線１１の表面でも刷毛１２が滑り、毛立ちを悪くする原因となっていた。
【０００４】
一方、加工した平線を用いて植毛する歯ブラシとしては、少なくとも１箇所に突起部を有する平線を用いた歯ブラシ（国際公開第９８／０００４８号パンフレット）、底部に丸みを持たせるとともに、水平方向に鋭いエッジを形成した平線を用いた歯ブラシ（国際公開第９８／０５２３８号パンフレット）、平線の少なくとも１側面に刷毛の長軸方向と直交する溝を設けた歯ブラシ（国際公開第９７／４６１３６号パンフレット）などが知られているが、いずれも植毛不良率の改善や毛立ちを良くするものではなかった。
【０００５】
【発明が解決しようとする課題】
従来の歯ブラシの場合、刷毛を固定する平線の底面には凹凸がなく平滑な面であるため、刷毛束を打ち込む際に刷毛の一部が横滑りを起こして平線から外れてしまい、植毛不良が起こるという問題があった。また、平線の表面が平滑であるため、植毛の際に刷毛の方向を制御することができず、毛立ちが悪くなるという問題もあった。
【０００６】
本発明は、上記問題を解決するためになされたもので、留め具を打ち込む際に刷毛が滑ることなく植毛でき、植毛不良がなく、しかも毛立ちのよい歯ブラシを提供することを目的とするものである。
【０００７】
【課題を解決するための手段】
上記目的を達成するため、本発明の歯ブラシは、底面に窪みおよび／または側面に歯ブラシヘッド部の植毛面に対して平行でない溝の付いた留め具を用いて刷毛もしくは刷毛束を２つ折りに植毛固定した部分が少なくとも１箇所以上存在するようにしたものである。なお、本発明でいう留め具とは、前述した平線を初めとして、刷毛もしくは刷毛束を２つ折りにして植毛穴に打ち込んで固定する部材であればすべてその範疇に含むものである。
【０００８】
底面に窪みを形成した留め具を用いて植毛した場合、刷毛束が窪みによって拘束されるため、刷毛の横滑りが起こらず、植毛不良を大幅に減少させることができる。なお、留め具の強度を確保するため、窪みの深さは留め具高さの１／２以下、好ましくは１／３以下とすることが望ましい。また、窪みは、留め具底面の全幅にわたる大きな窪みを１個だけ設けてもよいが、底面を分割して複数個の窪みを形成してもよいものである。
【０００９】
一方、側面に歯ブラシヘッド部の植毛面に対して平行でない溝を形成した留め具を用いて植毛した場合には、刷毛が溝に沿って起立するため、刷毛の方向を制御することが可能となる。このため、刷毛の毛立ちが良好となり、外観が良好となるとともに、毛の当たり心地も大幅に改善することができる。溝を形成する面は、留め具の片側の側面だけでもよいし、両側面に形成してもよい。特に、毛束を構成する刷毛の本数が少ない場合は、溝の付いた部分にのみ刷毛を納めることが可能であり、刷毛の間隔を溝の間隔によって制御することも可能である。
【００１０】
また、植毛面に対して溝を垂直に形成した場合、刷毛も植毛面に対して垂直に起立するが、植毛面に対して一定の角度で傾斜した溝を形成した場合、刷毛も一定の角度で傾斜した状態で起立させることができる。この場合において、毛の当たり心地、刷掃実感を考慮すると、植毛面に対する溝の交差角度は３０度より大きく、１５０度より小さくすることが好ましい。３０度以下、１５０度以上では、毛の当たり心地、刷掃実感とも悪くなり、好ましくない。
【００１１】
更に、留め具の底面に窪みを形成するとともに側面に溝を付ければ、植毛不良をなくし、しかも毛立ちのよい歯ブラシを得ることができる。
【００１２】
更にまた、上述の構成に加え、留め具の表面全体に細かな凹凸を形成してやれば、刷毛束と留め具との摩擦をより大きくすることができ、刷毛の抜けを更に減少させることも可能である。
【００１３】
留め具の材質としては、従来から用いられている真鍮も好ましいが、ステンレス、生分解性プラスチック、その他硬質プラスチックなども好ましい。
【００１４】
歯ブラシの首部は、把持部と平行なストレート形状、上方（植毛面側）に傾いているストレート形状、上方（植毛面側）に湾曲している形状などが刷掃のしやすさの点から好ましい。
【００１５】
ヘッド部は、首部が把持部と平行なストレート形状ならば、植毛面側に傾いている方が奥歯まで刷掃しやすく、首部が上方（植毛面側）に傾いているストレート形状か、上方（植毛面側）に湾曲している形状ならば、首部の延長接線方向に接合されている方が奥歯や不揃いな口腔内を磨きやすい。
【００１６】
歯ブラシのハンドル材料としては、ポリスチレン樹脂（ＰＳ）、ポリプロピレン樹脂（ＰＰ）、ポリエチレンテレフタレート樹脂（ＰＥＴ）、アクリロニトリルブタジエンスチレン樹脂（ＡＢＳ）、セルロースプロピオネート樹脂（ＣＰ）、ポリアリレート樹脂、ポリカーボネート樹脂、アクリロニトリルスチレン樹脂（ＡＳ）などの素材を単独または混合して用いることができるが、成形性、コストなどの点でポリプロピレン樹脂が好ましい。また、熱可塑性エラストマーと組み合わせた多色成形ハンドルとすることも好ましい。
【００１７】
刷毛（用毛）の材料としては、ポリエチレンテレフタレート，ポリブチレンテレフタレート，ポリトリメチレンテレフタレートなどのポリエステル、ナイロン６，ナイロン６６，ナイロン６−１０，ナイロン６−１２，ナイロン１２などのポリアミド、ポリエチレン，ポリプロピレンなどのポリオレフィン、およびポリフッ化ビニリデンなどのポリハロゲン化ビニルなど、溶融紡糸できる素材が利用されるが、使用感、耐久性の点で、ナイロン、ポリトリメチレンテレフタレートが好ましい。
【００１８】
刷毛の長さ（毛丈）は、６〜１２ｍｍのものがよく利用され、大人用にはより好ましくは８〜１２ｍｍ、子供用にはより好ましくは６〜１１ｍｍのものが使用感がよい。
【００１９】
刷毛の太さとしては、３〜１０ミル（０．０７６〜０．２５４ｍｍ）、好ましくは５〜８ミル（０．１２５〜０．２０３ｍｍ）のものが好ましく、使用性、刷掃感、清掃効果、耐久性などを考慮して、これらを組み合わせて利用することも好ましい。
【００２０】
刷毛の種類としては、通常のラウンド用毛、テーパー用毛、ダイヤモンド用毛、フェザー用毛、その他異形断面用毛、グレイニー用毛、スパイラルキャッチ用毛、インジケータ用毛など、周知のものを用いることができるが、これらに限定されるものではない。
【００２１】
また、刷毛先端面の毛切り形状（プロファイル）と刷毛長も任意に設定することができ、単一平面形状、山切り形状、凹凸形状など、任意の形状を採用することができる。更に、ヘッド部植毛面の外側と内側、ヘッド部植毛面の先端側と後端側などで異なった刷毛構成としてもよいものである。
【００２２】
【発明の実施の形態】
以下、本発明の実施の形態について図面を参照して説明する。
図１および図２に、本発明に係る歯ブラシの第１の実施の形態を示す。
図１（ａ）は平線の斜視図、図１（ｂ）は平線による毛束の打ち込み状態を示す斜視図、図１（ｃ）は植毛穴に打ち込まれた毛束の状態を示す断面図、図２（ａ）〜（ｃ）はそれぞれ平線の正面図、平面図、底面図である。
【００２３】
この第１の実施の形態に係る歯ブラシは、図１（ａ）および図２に示すごとき形状からなる平線１を用いて、図１（ｂ）（ｃ）に示すように、複数本の刷毛１２を束ねた刷毛束１３を歯ブラシヘッド部の植毛面１４の植毛穴１５に２つ折りにして打ち込み、固定したものである。
【００２４】
すなわち、この第１の実施の形態で用いた平線１は、その全体形状が扁平な長方体からなり、この扁平な長方体からなる平線１の底面全体に鉤状をした１個の窪み２を形成したものである。なお、この窪み２の深さｈは、平線１の高さＨの１／２以下、好ましくは１／３以下とされる。
【００２５】
このような形状の平線１を用いて刷毛束１３を植毛すると、刷毛束１３は平線１の底面に形成した窪み２内に入り込んだ状態で植毛されるので、植毛時に刷毛１２が横滑りを起こすようなことがなくなり、植毛不良を大幅に減少させることができる。
【００２６】
図３および図４に、上記第１の実施の形態で用いた平線１の他の形状例を示す。図３は平線１の底面に窪み２を２個形成した場合の例、図４は平線１の底面に窪み２を３個形成した場合の例をそれぞれ示すものである。このように、窪み２は１個だけに限らず、複数個形成してもよいものである。
【００２７】
図５および図６に、本発明に係る歯ブラシの第２の実施の形態を示す。
図５（ａ）は平線の斜視図、図５（ｂ）は平線による毛束の打ち込み状態を示す斜視図、図２（ａ）〜（ｃ）はそれぞれ平線の正面図、平面図、底面図である。
【００２８】
この第２の実施の形態で用いた平線１は、平線１の両側面に、植毛面１４に対して平行でない溝３を複数個形成した平線１を用いて、複数本の刷毛１２を束ねた刷毛束１３を歯ブラシヘッド部の植毛面１４の植毛穴１５に２つ折りにして打ち込み、固定したものである。なお、植毛面１４に対する溝３の交差角度θは、３０度より大きく、１５０度より小さい値とされる。図示例の場合、θ＝９０度、すなわち植毛面１４に対して垂直としたものである。
【００２９】
このような形状の平線１を用いて刷毛束１３を植毛すると、刷毛束１３を構成する刷毛１２が溝３に沿って起立するため、刷毛１２の方向を制御することが可能となる。このため、刷毛１２の毛立ちが良好となり、刷毛外観が良好となるとともに、毛の当たり心地もよくなる。また、図示例のように、刷毛束１３を構成する刷毛１２の本数が少ない場合には、刷毛１２を溝３の付いた部分にのみ納めることができるので、刷毛１２の間隔を溝３の間隔によって制御することが可能となる。
【００３０】
図７および図８に、上記第２の実施の形態で用いた平線１の他の形状例を示す。図７は植毛面１４に対してわずかに傾斜（θ＜９０度）させた溝３を平線１の両側面に３個ずつ形成した場合の例、図４は植毛面１４に対してわずかに傾斜（θ＜９０度）させた溝３を平線１の両側面に６個ずつ形成した場合の例をそれぞれ示すものである。
【００３１】
このように、植毛面１４に対して溝３を一定の角度θで傾斜させた場合、毛束１３を構成する刷毛１２も一定の角度θで傾斜した状態で起立させることができるので、毛束１３の起立方向も制御することができる。なお、角度θは植毛面に植毛される全刷毛束について同じにする必要はなく、場所によって変えてよいことはもちろんである。また、１つの平線１内において各溝３の交差角度θを異ならしめることも可能である。
【００３２】
図９に、本発明の歯ブラシで用いる平線１の更に他の形状例を示す。
この図９に示した平線１は、窪み２と溝３の両方を備えた平線の例をそれぞれ示すもので、（ａ）は平線１の底面に１個の窪み２を形成するとともに、平線１の両側面に植毛面１４に対して垂直（θ＝９０度）に交わる溝３を３個ずつ形成した場合の例、（ｂ）は平線１の底面に２個の窪み２を形成するとともに、平線１の両側面に植毛面１４に対してわずかに傾斜（θ＜９０度）させた溝３を３個ずつ形成した場合の例をそれぞれ示すものである。このように、窪み２と溝３の両方を同時に備えれば、前述した窪み２の効果と溝３の効果を同時に発揮させることができ、より優れた歯ブラシを得ることができる。
【００３３】
＜実験例＞
表１に示す４種類の平線を用いた歯ブラシについて、植毛不良率、毛立ち、毛の当たり心地の評価を行った。その結果、表中に示すように、本発明の歯ブラシは、従来の歯ブラシに比べて植毛不良率が少なく、毛立ちがよく、毛の当たり心地も良好であることが証明された。
【００３４】
【表１】
2004081286.tif 000003
【００３５】
【発明の効果】
以上説明したように、本発明によるときは、底面に窪みおよび／または側面に歯ブラシヘッド部の植毛面に対して平行でない溝を形成した留め具を用いて刷毛もしくは刷毛束を植毛するようにしたので、留め具を打ち込む際に刷毛が滑ることなく植毛でき、植毛不良をなくすことができるとともに、毛立ちのよい歯ブラシを得ることができる。
【図面の簡単な説明】
【図１】本発明に係る歯ブラシの第１の実施の形態を示すもので、（ａ）は平線の斜視図、（ｂ）は平線による毛束の打ち込み状態を示す斜視図、（ｃ）は植毛穴に打ち込まれた毛束の状態を示す断面図である。
【図２】第１の実施の形態で用いる平線の形状を示すもので、（ａ）は正面図、（ｂ）は平面図、（ｃ）は底面図である。
【図３】第１の実施の形態で用いた平線の他の形状例を示すもので、（ａ）は正面図、（ｂ）は平面図、（ｃ）は底面図である。
【図４】第１の実施の形態で用いる平線の更に他の形状例を示すもので、（ａ）は正面図、（ｂ）は平面図、（ｃ）は底面図である。
【図５】本発明に係る歯ブラシの第２の実施の形態を示すもので、（ａ）は平線の斜視図、（ｂ）は植毛穴に打ち込まれた毛束の状態を示す断面図である。
【図６】第２の実施の形態で用いる平線の形状を示すもので、（ａ）は正面図、（ｂ）は平面図、（ｃ）は底面図である。
【図７】第２の実施の形態で用いた平線の他の形状例を示すもので、（ａ）は正面図、（ｂ）は平面図、（ｃ）は底面図である。
【図８】第２の実施の形態で用いた平線の更に他の形状例を示すもので、（ａ）は正面図、（ｂ）は平面図、（ｃ）は底面図である。
【図９】窪みと溝の両方を形成した平線の形状例を示すもので、（ａ）は正面図、（ｂ）は平面図、（ｃ）は底面図である。
【図１０】従来の歯ブラシを示すもので、（ａ）は平線の斜視図、（ｂ）は平線による毛束の打ち込み状態を示す斜視図である。
【図１１】従来の歯ブラシにおける問題点を説明するための図である。
【符号の説明】
１　　平線（留め具）
２　　窪み
３　　溝
１２　刷毛
１３　刷毛束
１４　植毛面
１５　植毛穴
【図１】
2004081286.tif 000004
【図２】
2004081286.tif 000005
【図３】
2004081286.tif 000006
【図４】
2004081286.tif 000007
【図５】
2004081286.tif 000008
【図６】
2004081286.tif 000009
【図７】
2004081286.tif 000010
【図８】
2004081286.tif 000011
【図９】
2004081286.tif 000012
【図１０】
2004081286.tif 000013
【図１１】
2004081286.tif 000014